(57)【要約】【課題】  何らかの画像が記録された原稿を手書き等により編集する際のユーザの編集作業を容易にすることができる画像処理装置を提供することを目的とする。【解決手段】  原稿の画像データを取得する取得手段４、１２と、該手段４、１２が取得した前記原稿の画像データに対する消去領域の指定を受付ける受付手段９、１０と、該手段９、１０が指定を受付けた前記消去領域に対応する画素データを前記原稿の画像データから削除する削除手段５と、該手段５により処理された原稿の画像データに対して、少なくとも前記消去領域を含む領域に所定色で表される罫線の画像データを合成する合成手段５と、該手段５により処理された原稿の画像データの画像を用紙に記録する記録手段８と、を備える。【選択図】      図２
2006005517.tif 000002
【特許請求の範囲】
【請求項１】
原稿の画像データを取得する取得手段と、該手段が取得した前記原稿の画像データに対する消去領域の指定を受付ける受付手段と、該手段が指定を受付けた前記消去領域に対応する画素データを前記原稿の画像データから削除する削除手段と、該手段により処理された原稿の画像データに対して、少なくとも前記消去領域を含む領域に所定色で表される罫線の画像データを合成する合成手段と、該手段により処理された原稿の画像データの画像を用紙に記録する記録手段と、を備えることを特徴とする画像処理装置。
【請求項２】
原稿の画像データを取得する取得手段と、該手段が取得した前記原稿の画像データから特定色の画素データによって囲まれた閉領域を検出する検出手段と、該手段が検出した前記閉領域の内側又は外側のいずれを前記原稿の画像データに対する消去領域として指定するかの選択を受付ける受付手段と、該手段が選択を受付けた前記消去領域に対応する画素データを前記原稿の画像データから削除する削除手段と、該手段により処理された原稿の画像データに対して、少なくとも前記消去領域を含む領域に所定色で表される罫線の画像データを合成する合成手段と、該手段により処理された原稿の画像データの画像を用紙に記録する記録手段と、を備えることを特徴とする画像処理装置。
【請求項３】
前記所定色は、ドロップアウトカラーであることを特徴とする請求項１又は２記載の画像処理装置。
【発明の詳細な説明】
【技術分野】
【０００１】
本発明は、画像処理装置に関し、詳しくは、原稿の画像データに画像処理を行ってその画像を用紙に記録する画像処理装置に関する。
【背景技術】
【０００２】
何らかの画像が記録されている原稿の一部を編集し、その編集後の原稿を例えばコピー機能やファクシミリ通信機能を備える複合機によりコピー又はファクシミリ送信する場合、ユーザは原稿の一部の画像を修正液等で消去し、鉛筆等の筆記具を用いて手書きにより編集作業を行っていた。そのため、原稿の編集作業は大変面倒なものであった。これに対し、原稿の画像データを読取り、ユーザによって予め指定された領域の画像を消去してこれを用紙に記録することにより、ユーザの編集作業を容易にすることができる画像処理装置が特許文献１に開示されている。
【０００３】
特許文献１の画像処理装置は、原稿の画像データを読取るとともに読取った原稿の画像データの中から特定色の画素データによって囲まれた閉領域を検出し、検出した閉領域の画素データを読取った原稿の画像データから削除してその画像を用紙に記録する。したがって、ユーザは、上記の特定色のペン等を用いて原稿に枠を書き込んでおくだけで、原稿の一部の画像を修正液等で消去するといった面倒な作業を行うことなく手書き等の残りの編集作業を行うことができる。
【特許文献１】特公平３−７１８０号公報
【発明の開示】
【発明が解決しようとする課題】
【０００４】
しかしながら、特許文献１の画像処理装置によれば、上記のユーザによる一部の画像を消去する作業は不要になるが、編集すべき原稿は、通常、ワープロソフト等を用いて作成されたものである場合が多く、一部の画像が消去された原稿にユーザがそのまま手書きで文字等を書き込むと、文字の大きさや間隔が不揃いになり、見栄えの悪い原稿となってしまう。そのため、手書き等による編集作業は容易ではなかった。
【０００５】
本発明は、以上のような問題点に鑑みてなされたものであり、原稿の画像データに対して画像処理を行ってその画像を用紙に記録する画像処理装置において、何らかの画像が記録された原稿を手書き等により編集する際のユーザの編集作業を容易にすることができる画像処理装置を提供することを目的とする。
【課題を解決するための手段】
【０００６】
上記目的を達成するために、請求項１記載の画像処理装置は、原稿の画像データを取得する取得手段と、該手段が取得した前記原稿の画像データに対する消去領域の指定を受付ける受付手段と、該手段が指定を受付けた前記消去領域に対応する画素データを前記原稿の画像データから削除する削除手段と、該手段により処理された原稿の画像データに対して、少なくとも前記消去領域を含む領域に所定色で表される罫線の画像データを合成する合成手段と、該手段により処理された原稿の画像データの画像を用紙に記録する記録手段と、を備えることにある。
【０００７】
請求項２記載の画像処理装置は、原稿の画像データを取得する取得手段と、該手段が取得した前記原稿の画像データから特定色の画素データによって囲まれた閉領域を検出する検出手段と、該手段が検出した前記閉領域の内側又は外側のいずれを前記原稿の画像データに対する消去領域として指定するかの選択を受付ける受付手段と、該手段が選択を受付けた前記消去領域に対応する画素データを前記原稿の画像データから削除する削除手段と、該手段により処理された原稿の画像データに対して、少なくとも前記消去領域を含む領域に所定色で表される罫線の画像データを合成する合成手段と、該手段により処理された原稿の画像データの画像を用紙に記録する記録手段と、を備えることにある。
【０００８】
請求項３記載の画像処理装置は、請求項１又は２記載の画像処理装置において、前記所定色は、ドロップアウトカラーであることにある。
【発明の効果】
【０００９】
請求項１記載の画像処理装置によれば、ユーザは、元の原稿から不要な画像が消去され、且つ、罫線が合成された原稿に対して編集作業を行うことができるので、合成された罫線を目安にして容易に手書き等による編集作業を行うことができる。
【００１０】
請求項２記載の画像処理装置によれば、ユーザは、元の原稿から不要な画像が消去され、且つ、罫線が合成された原稿に対して編集作業を行うことができるので、合成された罫線を目安にして容易に手書き等による編集作業を行うことができる。また、ユーザは、原稿の読取り前に、元の原稿に特定色で任意の枠を書き込んでおくことにより、その枠の内側又は外側を消去領域として選択するのみで元の原稿から一部の画像を消去させることができる。
【００１１】
請求項３記載の画像処理装置によれば、罫線の画像がドロップアウトカラーにて合成されることにより、編集した原稿の画像を複写又はファクシミリ送信のためにモノクロ読取りした場合、罫線の画像はデータとして読取られないので、手書き等により文字や図形を書き込んだ後に罫線を消すといった作業をユーザが行わなくてもよいという利点がある。
【発明を実施するための最良の形態】
【００１２】
以下、本発明の実施形態に係る画像処理装置を図面に基づいて説明する。この画像処理装置１は、図１に例示するように、制御部（ＭＰＵ：Microprocessing Unit）２、ＲＯＭ（Read Only Memory）３、原稿読取部４、画像処理部５、コーデック６、画像メモリ７、記録部８、操作部９、表示部１０、ＲＡＭ（Random Access Memory）１１、及び通信部１２を備えたものであって、各部２乃至１２はバス１３によって通信可能に接続されている。
【００１３】
制御部２は、ＲＯＭ３に格納された制御プログラムに従って、この画像処理装置１を構成する各部を制御する。原稿読取部４は、原稿の画像データを取得する取得手段として機能し、図示しないが、カラーラインセンサ、Ａ／Ｄコンバータ、画像処理回路等を具備している。カラーラインセンサは、Ｒ（Red）、Ｇ（Green）、Ｂ（Blue）の３つのラインセンサにより構成されており、原稿の画像を主走査ライン毎に読取ってＲＧＢ表色系のアナログカラー画像データを所定の出力先に出力する。Ａ／Ｄコンバータは、カラーラインセンサによって読取られた原稿の画像データをＡ／Ｄ変換する。画像処理回路は、白色の基準プレートの読取データに基づき原稿の画像データに対する光量ムラや光学部品の影響、及びカラーラインセンサの画素感度のばらつきを補正するためのシェーディング補正、原稿の画像データの色成分間の位置ずれを補正するための位置ずれ補正等の入力補正を施した原稿の画像データを出力する。なお、ここではカラーラインセンサにより原稿のカラー画像データを読取る場合について説明するが、ＲＧＢ３成分のうちＧ成分のみをモノクロとみなして出力したり、又はカラーラインセンサを上記ＲＧＢの３つのラインセンサにモノクロ画像データを読取るラインセンサを加えた４ライン型のものとすることにより、原稿のモノクロ画像データを読取ることも当然可能である。
【００１４】
画像処理部５は、原稿読取部４から出力された原稿のカラー画像データ等に対して、画素データを削除する処理（削除処理）、罫線の画像データを合成する処理（罫線合成処理）、第１の色空間変換、色調整、第２の色空間変換、２値化処理等の画像処理を必要に応じて行うものである。
【００１５】
コーデック６は、原稿の画像データを符号化（エンコード）・復号（デコード）する。具体的には、原稿の画像データをファクシミリ送信や蓄積等のためにＭＨ（Modified Huffman）、ＭＲ（Modified Read）、ＭＭＲ（Modified Modified Read）、ＪＢＩＧ（Joint Bi-level Image Group）、ＪＰＥＧ（Joint Photographic Experts Group）方式等により符号化し、符号化されている画像データを復号する。
【００１６】
画像メモリ７は、原稿の多値画像データを格納する多値メモリ７ａ、２値化された２値画像データを格納する２値メモリ７ｂ、コーデック６によって符号化された画像データやファクシミリ受信した画像データを格納する符号化メモリ７ｃによって構成されている。
【００１７】
記録部８は、画像メモリ７から読み出された画像データの画像を用紙に記録するものであり、カラー、モノクロ双方の画像を用紙に記録することができる。この記録部８における記録方式としては、例えば、電子写真方式やインクジェット記録方式等の各種の記録方式を用いることができる。
【００１８】
操作部９は、図示しないが原稿読取部４に原稿の読取開始を指示するためのスタートキー、ファクシミリ番号やコピー部数等を入力するためのテンキー、ワンタッチダイヤルに予め登録された宛先を指定するためのワンタッチキー、各種設定を行うためのカーソルキーなど、表示部１０と連動した各種操作キーを備えている。表示部１０は、各種の設定状態や画像処理装置１の動作状態などを文字や図形などで表示する液晶表示装置（ＬＣＤ：Liquid Crystal Display）などを備えている。この表示部１０は、前記操作部９の操作機能を兼ね備えたタッチパネル付きのＬＣＤであり、各種の選択画面において選択事項の決定等を行うために用いるタッチペンが備えつけられている。
【００１９】
なお、後述するが、この画像処理装置１では、原稿読取部４で読取った原稿の画像データやファクシミリ受信した原稿の画像データ等の画像の一部を削除することができ、その画像を削除する領域（以下、「消去領域」という。）を操作部９から指定することができる。したがって、操作部９は、原稿の画像データに対する消去領域の指定を受付ける受付手段として機能する。また、上記のタッチパネルを用いて消去領域を指定する場合は、表示部１０が前記受付手段として機能する。
【００２０】
ＲＡＭ１１は、制御部２の主メモリ、ワークエリア等として機能し、操作部９又は表示部１０が指定を受付けた消去領域の情報を一時的に記憶する。また、ユーザによる操作部９からの入力に基づくモード情報等、各種の設定情報を記憶している。このモード情報は、コピー機能の場合には、通常モードと画像編集モードのいずれに設定されているかを示す情報である。通常モードは、いわゆるコピー機能を行うモードであり、画像編集モードは、原稿の画像からユーザが指定した消去領域の画像が削除され、罫線の画像が合成された原稿の画像が用紙に記録されるモードである。
【００２１】
通信部１２は、モデム１４及びＮＣＵ（Network Control Unit）１５を備えている。モデム１４は、例えばＩＴＵ−Ｔ（国際電気通信連合電気通信標準化部門）の勧告Ｖ．３４規格又はこれと同様のものに従って送受信データを変調又は復調する。ＮＣＵ１５は、電話回線を制御して電話をかけたり、切ったりする回線網制御装置であり、ＰＳＴＮ（Public Switched Telephone Network）１６に接続されている。
【００２２】
上記構成を備えた画像処理装置１によれば、コピー機能によって原稿読取部４で読取った原稿の画像データを用紙に記録することができるほか、ファクシミリ通信機能によって外部の装置と原稿の画像データをファクシミリ送受信することができるようになっている。また、コピー機能における画像編集モードでは、操作部９又は表示部１０が指定を受付けた消去領域の情報に基づき、原稿の画像データに対して消去領域の画素データを削除する処理及び罫線の画像データを合成する処理を行って、その原稿の画像データを用紙に記録する。以下、画像編集モードにおける画像処理装置１の各部の処理動作を図２に基づいて説明する。
【００２３】
原稿読取部４の備えるカラーラインセンサによって読取られたＲＧＢ表色系のアナログカラー画像データは、Ａ／Ｄコンバータによってディジタル画像データに変換され、画像処理回路によってシェーディング補正、位置ずれ補正等の入力補正が施される。
【００２４】
制御部２は、原稿読取部４から出力された原稿の画像データを多値メモリ７ａに一時的に蓄積するとともに、表示部１０へと出力して該表示部１０に原稿の画像を表示させる。例えば、図３（ａ）に示すように、消去領域の指定方法の選択を要求するメッセージ、原稿の画像１７、及び消去領域の指定方法の選択を受付ける選択ボタンを表示した消去領域指定方法選択画面を表示させる。消去領域を指定する方法には、図示するように、タッチペンを用いる方法、操作部９のテンキーを用いる方法、操作部９のカーソルキーを用いる方法等がある。
【００２５】
消去領域指定方法選択画面が表示された状態で、タッチペンの選択ボタンが押下されて、又はこの選択ボタンに対応する操作部９のキーが操作されて、タッチペンを用いて消去領域を指定する方法が選択された場合、例えば、図３（ｂ）に示すように、制御部２は、表示部１０に原稿の画像１７とともにタッチペン１８による消去領域の指定を要求するメッセージを表示させる。ユーザは、表示部１０に表示される原稿の画像１７をタッチペン１８で図中の破線のようになぞって閉領域を指定し、該閉領域の内側又は外側のいずれかをタッチペン１８で触れること等により選択する。このようにして、閉領域の内側又は外側を消去領域として指定する。
【００２６】
また、消去領域指定方法選択画面が表示された状態で、テンキーの選択ボタン又はカーソルキーの選択ボタンが押下されて、或いは、この選択ボタンに対応する操作部９のキーが操作されて、操作部９のテンキー又はカーソルキーを用いて消去領域を指定する方法が選択された場合、図４（ａ）に示すように、制御部２は、表示部１０に閉領域の形状の選択を要求するメッセージ及び複数の閉領域の形状（例えば、長方形、円、三角形等）を表示した閉領域形状選択画面を表示させる。ユーザは、閉領域形状選択画面が表示された状態で、操作部９から所望の閉領域の形状を選択する。操作部９のテンキーを用いて消去領域を指定する場合において、例えば閉領域の形状として円が選択されると、図４（ｂ）に示すように、制御部２は、表示部１０に原稿の画像１７とともに円の中心点の座標と円の半径の入力を要求するメッセージを表示した座標入力画面を表示させる。ユーザは、座標入力画面が表示された状態で、操作部９のテンキーから円の中心点の座標値と円の半径を入力する。そして、ユーザは、円（閉領域）の内側又は外側のいずれかを消去領域として操作部９の操作又は表示部１０のタッチパネルを直接タッチして選択することにより、消去領域を指定する。
【００２７】
操作部９のカーソルキーを用いて消去領域を指定する場合において、例えば閉領域として長方形が選択されると、図４（ｃ）に示すように、制御部２は、表示部１０に原稿の画像１７とともに長方形の対角の２点の指定を要求するメッセージを表示した座標指定画面を表示させる。ユーザは、座標指定画面が表示された状態で、操作部９のカーソルキーを用いて長方形の対角の２点を指定する。そして、ユーザは、長方形（閉領域）の内側又は外側のいずれかを消去領域として操作部９の操作又は表示部１０のタッチパネルを直接タッチして選択することにより、消去領域を指定する。
【００２８】
ユーザは、上記のいずれかの方法により、例えば図５に示すように、原稿Ａにおける消去領域Ｂを指定することができる。ユーザによって指定されて操作部９又は表示部１０が受付けた消去領域の情報は、ＲＡＭ１１に一時的に記憶される。
【００２９】
このように、操作部９又は表示部１０から消去領域が指定されると、画像処理部５は、多値メモリ７ａに蓄積されている原稿の画像データからＲＡＭ１１に記憶されている消去領域の情報に対応する画素データを削除する。ＲＡＭ１１の消去領域の情報は、具体的には、原稿の画像１７における消去領域の位置情報であり、画像処理部５は、消去領域の位置情報を原稿の画像データの位置情報として、ＲＧＢ表色系で表される原稿の画像データから各色成分の消去領域の画素データを削除する。なお、制御部２が多値メモリ７ａから原稿の画像データの消去領域以外の画素データのみを画像処理部５へ出力するようにして消去領域の画素データを削除するようにしてもよい。
【００３０】
次に、画像処理部５は、消去領域の画素データを削除した原稿の画像データに対して、少なくとも消去領域を含む領域に所定色で表される罫線の画像データを合成する。ここで、上記の所定色は、緑色や黄色等のドロップアウトカラーである。ドロップアウトカラーとは、スキャナ装置でモノクロ画像を読取る場合にデータとして読取ることができない色であり、このドロップアウトカラーの表色値（ＲＧＢ表色系の各色成分の画素値）はＲＡＭ１１に予め記憶されている。原稿の画像データの消去領域に罫線の画像データを合成する場合、操作部９のテンキー等によりユーザによって指定された罫線の間隔に基づいて、画像処理部５は、原稿の画像データの消去領域にドロップアウトカラーで表される罫線の画像データを合成する。すなわち、画像処理部５は、データがない原稿の画像データの消去領域に罫線の画像データを付加する。例えば、図５に示した原稿Ａの画像データに対して、図６に示すように、原稿Ａの画像データから消去領域Ｂの画素データが削除され、ドロップアウトカラーで表される罫線Ｃの画素データが原稿Ａの画像データに合成（付加）される。また、ユーザによる操作部９からの所定操作に基づいて、原稿の画像データの消去領域より広い領域に罫線の画像データを合成するようにしてもよい。
【００３１】
なお、ユーザによる操作部９からの罫線の間隔の指定に代えて、ワープロソフト等で作成された原稿のように文字がマトリクス状に配置されている場合、図７に示すように、原稿Ａの画像データに対して、文字に沿って格子状に罫線Ｃの画像データを合成することも可能である。この場合、制御部２は、文字間の空白部分、つまり、原稿の画像データ中の白データの部分を検出する。そして、画像処理部５は、原稿の画像データの文字に沿って格子状にドロップアウトカラーで表される罫線の画像データを合成する。ここで、消去領域以外に罫線の画像データを合成する場合、画像処理部５は、罫線の画像データを合成する位置の白データ（空白部分）の表色値をドロップアウトカラーの表色値に置換する。
【００３２】
次に、画像処理部５は、画素データの削除処理、罫線の画像データの合成処理を行った原稿の画像データ（ＲＧＢ表色系のカラー画像データ）をＬ*ａ*ｂ*表色系のカラー画像データへと色空間変換（第１の色空間変換）し、明るさや色相の微調整などの色調整を行う。次に、画像処理部５は、Ｌ*ａ*ｂ*表色系によって表されている原稿の画像データをＣ（シアン）、Ｍ（マゼンタ）、Ｙ（イエロー）、Ｋ（ブラック）の４成分によって表される出力表色系のカラー画像データに色空間変換（第２の色空間変換）し、２値化処理を行う。図示しないが、２値化処理された原稿の画像データは、２値メモリ７ｂに一時的に蓄積され、２値メモリ７ｂに蓄積された原稿の画像データは、コーデック６で符号化されて符号化メモリ７ｃに蓄積される。そして、原稿の画像データの記録のタイミングにあわせて、符号化メモリ７ｃに蓄積された原稿の画像データがコーデック６で復号されて、記録部８において原稿の画像データの画像が用紙に記録される。
【００３３】
以上説明したように、画像処理装置１は、画像編集モードにおいて、原稿の画像データに対する消去領域がユーザによって指定された場合、消去領域の画素データを削除し、少なくとも消去領域を含む領域にドロップアウトカラーで表される罫線の画像データを合成して、原稿の画像データの画像を用紙に記録する。
【００３４】
次に、本発明の実施形態の画像処理装置１の変形例について説明する。本発明の実施形態の変形例に係る画像処理装置１Ａは、図８に示すように、図１に示した画像処理装置１に検出回路１９が付加されたものである。以下、画像処理装置１と共通する部分については同一符号を付してその説明を省略し、相違点についてのみ説明する。
【００３５】
検出回路１９は、原稿の画像データから特定色（例えば、赤色）の画素データで囲まれた閉領域を検出する検出手段として機能する。具体的には、制御部２は、予め特定色で描かれた画像を原稿読取部４で読取らせて、その特定色の表色値（ＲＧＢ表色系の各色成分の値）をＲＡＭ１１に記憶しておき、検出回路１９は、ＲＡＭ１１に記憶している特定色の表色値に基づいて、原稿の画像データから特定色の画素データで囲まれた閉領域を検出する。
【００３６】
画像処理装置１Ａにおける画像編集モードでは、図９に示すように、原稿読取部４から出力された原稿の画像データは、検出回路１９に入力される。検出回路１９は、上記のように、原稿の画像データから特定色の画素データで囲まれた閉領域を検出する。次に、制御部２は、原稿の画像データを多値メモリ７ａに蓄積するとともに、原稿の画像１７を表示部１０に表示させる。例えば、図１０に示すように、閉領域の内側又は外側の選択を要求するメッセージ及び原稿の画像１７を表示した消去領域選択画面を表示させる。消去領域選択画面が表示された状態で、ユーザが原稿の画像１７中の閉領域の内側又は外側のいずれかを触れることにより、表示部１０は、閉領域の内側又は外側のいずれかを消去領域として受付ける。受付けた消去領域の情報は、ＲＡＭ１１に一時的に記憶される。以下、画像処理装置１と同様、画像処理部５において、ＲＡＭ１１に記憶する消去領域の情報に基づき、原稿の画像データに対して画素データの削除処理及び罫線の画像データの合成処理を行って、記録部８において原稿の画像データを用紙に記録する。
【００３７】
なお、本実施形態では、原稿読取部４で読取った原稿の画像データに対して、画素データの削除処理、罫線の画像データの合成処理を行って用紙に記録する場合について説明したが、ファクシミリ受信した原稿の画像データに対して、画素データの削除処理、罫線の画像データの合成処理を行って用紙に記録することも可能である。また、画像処理装置１又は１ＡにＰＤＡ（Personal Digital Assistant）を通信可能に接続し、ＰＤＡから取得した原稿の画像データに対して、画素データの削除処理、罫線の画像データの合成処理を行って用紙に記録することも可能である。例えば、ファクシミリ受信した原稿の画像データに対して、画素データの削除処理、罫線の画像データの合成処理を行って用紙に記録する場合、ファクシミリ受信した原稿の画像データを用紙に記録した後に削除するのではなく、符号化メモリ７ｃに蓄積しておき、コピー機能における画像編集モードと同様、ファクシミリ受信した原稿の画素データに対して、画像処理部５において画素データの削除処理、罫線の画像データの合成処理を行って、記録部８において原稿の画像データの画像を用紙に記録する。
【００３８】
また、画像処理装置１及び１Ａは、原稿読取部４が備えるカラーラインセンサのうちのＧ成分のラインセンサのみを用いて原稿のモノクロ画像データを読取る機能を備えているので、ユーザは、編集後の原稿を読取らせて用紙に記録させたり、外部の装置にファクシミリ送信させることができる。なお、このようにしてユーザが読取らせる編集後の原稿には、罫線の画像が記録されているが、この罫線の画像は、ドロップアウトカラーで記録されている。すなわち、Ｇ成分のラインセンサのフィルタの色と同色であるため、データとして読取られることがない。したがって、ユーザは、手書き等の編集作業を行った編集後の原稿の罫線を修正液等で消すといった面倒な作業を行うことなく、編集後の原稿をコピーやファクシミリ送信に利用することができる。また、原稿読取部４にて編集後の原稿のカラー画像データを読取る場合でも、ＲＡＭ１１にはドロップアウトカラーに対応する表色値に関する情報が記憶されているため、この表色値によって表される画素データの画素値を白色を示す画素値や周辺がその画素値に置き換えることにより、罫線の画像を消去した原稿のカラー画像データを用紙に記録したり、ファクシミリ送信することが可能である。
【産業上の利用可能性】
【００３９】
本発明は、例えば、コピー機、ファクシミリ装置等の画像処理装置に適用することができる。
【図面の簡単な説明】
【００４０】
【図１】本発明の実施形態に係る画像処理装置の構成例を示す図である。
【図２】本発明の実施形態に係る画像処理装置が画像編集モードで原稿の画像データを複写する際に実行する処理動作を示す図である。
【図３】本発明の実施形態に係る画像処理装置の表示部に原稿の画像等を表示した状態の一例を示す図である。
【図４】本発明の実施形態に係る画像処理装置の表示部に原稿の画像等を表示した状態の一例を示す図である。
【図５】画像処理が行われる前の原稿の一例を示す図である。
【図６】本発明の実施形態に係る画像処理装置によって画像処理が行われた原稿の一例を示す図である。
【図７】本発明の実施形態に係る画像処理装置によって画像処理が行われた原稿の一例を示す図である。
【図８】本発明の実施形態の変形例に係る画像処理装置の構成例を示す図である。
【図９】本発明の実施形態の変形例に係る画像処理装置が画像編集モードで原稿の画像データを複写する際に実行する処理動作を示す図である。
【図１０】本発明の実施形態の変形例に係る画像処理装置の表示部に原稿の画像等を表示した状態の一例を示す図である。
【符号の説明】
【００４１】
１、１Ａ    画像処理装置
２    制御部
３    ＲＯＭ
４    原稿読取部
５    画像処理部
８    記録部
９    操作部
１０    表示部
１１    ＲＡＭ
１２    通信部
１９    検出回路
【図１】
2006005517.tif 000003
【図２】
2006005517.tif 000004
【図３】
2006005517.tif 000005
【図４】
2006005517.tif 000006
【図５】
2006005517.tif 000007
【図６】
2006005517.tif 000008
【図７】
2006005517.tif 000009
【図８】
2006005517.tif 000010
【図９】
2006005517.tif 000011
【図１０】
2006005517.tif 000012